(57)【要約】【課題】本発明の課題は、有害物の撤去作業を行う作業空間で安全確保のために作業者の作業時間監視や、途中健康状態を悪くした作業者の把握や、外部から作業環境を集中監視する有害物撤去作業安全管理装置を提供することである。【解決手段】本発明による有害物撤去作業安全管理装置では、作業管理コントローラと警報器と表示器と入力器を有し、入力器は、作業者の認識符号と出入り時刻を入力するもの、作業者に事故や災害による動き停止を検出するもの、作業環境をモニタするものであり、作業管理コントローラ内の条件設定部の規定値を満たさない場合は、警報を行うものである。【選択図】図１
2009163571.tif 000002
【特許請求の範囲】
【請求項１】
作業者に割り当てられた認識符号又は認識番号と有害物撤去作業空間への出入り時刻とを入力する認識符号入力器と、その出力を受け、前記作業者の氏名、前記認識符号又は認識番号を関連付けるデータを格納する作業者ファイルと、前記作業者の作業時間を計時する作業時間計時器と、前記作業時間を含むデータの限度条件を設定する条件設定部を有する作業管理コントローラと、前記作業時間計時器が計時した前記作業時間が前記条件設定部の前記限度条件を満足しないときに前記作業管理コントローラが警報出力を出す警報器とを有することを特徴とする有害物撤去作業安全管理装置。
【請求項２】
前記作業者の前記作業時間を表示する作業経過時間表示器を有することを特徴とする請求項１記載の有害物撤去作業安全管理装置。
【請求項３】
前記認識符号入力器は、前記作業者の携帯するＩＤＴＡＧから前記認識符号又は認識番号を通信により読み取るＴＡＧリーダであるか又は、数字又は文字を作業者が入力可能なキー入力器であることを特徴とする請求項１又は請求項２記載の有害物撤去作業安全管理装置。
【請求項４】
有害物撤去作業空間に設置され、作業環境を計測する作業環境センサと、前記作業環境のデータの限度条件を設定する条件設定部を有する作業管理コントローラと、前記作業環境センサが入力した前記作業環境のデータが前記条件設定部の前記限度条件を満足しないときに前記作業管理コントローラが警報出力を出す警報器とを有することを特徴とする有害物撤去作業安全管理装置。
【請求項５】
前記作業環境のデータを表示する作業環境表示器を有することを特徴とする請求項４記載の有害物撤去作業安全管理装置。
【発明の詳細な説明】
【技術分野】
【０００１】
本発明は、アスベスト、ＰＣＢなど有害物の撤去作業での作業者安全の管理装置に関するものである。  
【背景技術】
【０００２】
従来、有害物の撤去作業は、空間を隔離して行われることが多く、有害物の塵埃などが空間に浮遊し、温度も高いなど劣悪な環境で行われる。この中で、作業者の安全と健康を守るため、作業の服装や保護具などで作業者の身体守ると同時に作業時間の管理のチェックを行ってきた。図３は、従来から慣行されている作業時間管理の仕方を示す図である。作業者は、作業すべき空間（撤去作業囲い）の入り口で、氏名と出入りの時間を記入することで、誰が何時間作業しているかを知ることができる。然しながら、この様な人でまかせの管理は、作業責任者がこの表を見なければ分からないし、記入忘れがあると管理自体の確度が無くなる。
【０００３】
図４は、従来から行われてきた作業環境のモニタを示す図であり、乾湿計や有害ガスモニタなどが作業場所に設置され、作業者や作業責任者がこれを見ることで作業環境状態を把握していた。このような中で、人の注意によらず作業者の安全を確保する管理装置が望まれていた。特許文献１に見るように、有害物撤去作業の方法に関する提案は見られるが、有害物撤去作業現場での作業者の作業時間監視や、途中健康状態を悪くした作業者の把握や、外部から作業環境を集中監視する有害物撤去作業安全管理装置の提案は、今まで見当たらなかった。
【特許文献１】特開２００７−１０７３５９
【発明の開示】
【発明が解決しようとする課題】
【０００４】
上記のような事情から、解決しようとする課題は、有害物の撤去作業を行う作業空間で安全確保のために作業者の作業時間監視や、途中健康状態を悪くした作業者の把握や、外部から作業環境を集中監視する有害物撤去作業安全管理装置を提供することである。
【課題を解決するための手段】
【０００５】
上記の課題を解決するための手段として、本発明による有害物撤去作業安全管理装置では、作業管理コントローラと警報器と表示器と入力器を有し、入力器は、作業者の認識符号と出入り時刻を入力するもの、作業者に事故や災害による動き停止を検出するもの、作業環境をモニタするものであり、作業管理コントローラ内の条件設定部の規定値を満たさない場合は、警報を行うものである。以下、請求項に沿って説明する。
【０００６】
請求項１記載の発明は、有害物撤去作業安全管理装置であって、作業者に割り当てられた認識符号又は認識番号と有害物撤去作業空間への出入り時刻とを入力する認識符号入力器と、その出力を受け、前記作業者の氏名、前記認識符号又は認識番号を関連付けるデータを格納する作業者ファイルと、前記作業者の作業時間を計時する作業時間計時器と、前記作業時間を含むデータの限度条件を設定する条件設定部を有する作業管理コントローラと、前記作業時間計時器が計時した前記作業時間が前記条件設定部の前記限度条件を満足しないときに前記作業管理コントローラが警報出力を出す警報器とを有することを特徴とする。
これにより、作業者の作業時間の管理ができる。
【０００７】
請求項２記載の発明は、請求項１記載の有害物撤去作業安全管理装置において、前記作業者の前記作業時間を表示する作業経過時間表示器を有することを特徴とする。これにより、作業責任者等が管理することができる。
【０００８】
請求項３記載の発明は、請求項１又は請求項２記載の有害物撤去作業安全管理装置において、前記認識符号入力器は、前記作業者の携帯するＩＤＴＡＧから前記認識符号又は認識番号を通信により読み取るＴＡＧリーダであるか又は、数字又は文字を作業者が入力可能なキー入力器であることを特徴とする。これにより、ＴＡＧによる自動入力と作業者にマニュアルでの入力ができる。
【０００９】
請求項４記載の発明は、有害物撤去作業安全管理装置であって、有害物撤去作業空間に設置され、作業環境を計測する作業環境センサと、前記作業環境のデータの限度条件を設定する条件設定部を有する作業管理コントローラと、前記作業環境センサが入力した前記作業環境のデータが前記条件設定部の前記限度条件を満足しないときに前記作業管理コントローラが警報出力を出す警報器とを有することを特徴とする。これにより作業環境の適切さをモニタできる。
【００１０】
請求項５記載の発明は、請求項４記載の有害物撤去作業安全管理装置において、前記作業環境のデータを表示する作業環境表示器を有することを特徴とする。これにより作業責任者等が管理できる。
【発明の効果】
【００１１】
以上のように構成されているので、本発明による有害物撤去作業安全管理装置では、隔絶された有害物撤去作業空間内の作業において作業者の安全を確保できる。
【発明を実施するための最良の形態】
【００１２】
本発明による有害物撤去作業安全管理装置では、作業管理コントローラと警報器と表示器と入力器を有し、入力器は、作業者の認識符号と出入り時刻を入力するもの、作業者に事故や災害による動き停止を検出するもの、作業環境をモニタするものであり、作業管理コントローラ内の条件設定部の規定値を満たさない場合は、警報を行う。以下、実施例で説明する。
【００１３】
図１は、本発明による有害物撤去作業安全管理装置の一実施態様を示す図である。図1は作業時間管理を行う例を示している。１−Ａにおいて、有害物撤去作業空間への出入口に設置され、作業者の氏名、認識番号などの個人情報と入場出場ごとに出入り情報を入力する認識符号入力器１００とこの出力を受けて管理を行う作業管理コントローラ１１０があり、作業管理コントローラ１１０は、認識符号入力器１００からの作業者の出入り情報を受けて、作業者を特定する作業者番号や符号などの認識符号に関連付けて作業者の作業時間を計時し保存する。作業者ファイル１１１は、作業者の氏名と認識符号、健康状態などの特徴を関連づけたデータファイルである。作業時間計時器１１２は、作業者の出入り時間と現在時刻から作業者の現在までの作業時間を計時するものである。作業時間コントローラには作業条件設定部１１３があり、作業者の最大作業時間、環境温度等が予め設定できるようになっていて、条件になると作業者本人へ警報器１２０から警報が出される。又、この例では、作業者個人の現在の作業経過時間が作業経過時間表示器１３０に示され、作業責任者等が見ることができるようになっている。認識符号入力器は、種々の形態が考えられるが、ここでは、ＴＡＧリーダ１０１とキー入力器１０２が考えられる。ＴＡＧリーダに対しては、作業者が携帯するＩＤＴＡＧが認識符号を含む電波を出しＴＡＧリーダがこれを読み取り、誰がいつの時点で出入りしたかを入力することができる。キー入力器１０２は、作業者が出入口でキーを押して、自分の個人番号や符号を入力し、ＥＮＴキーを押すことで、入力を完了する。尚、認識符号入力器は、１−Ｂのように撤去作業囲いの出入り口に設置される。
【００１４】
図２は、本発明による有害物撤去作業安全管理装置の別の一実施態様を示す図である。集中管理の作業環境モニタを行う例である。作業環境モニタ用の作業環境センサ２００は、作業現場の作業位置に近いところに設置され、温度、湿度、塵埃濃度、酸素濃度、有害ガス濃度、騒音などの量を測定し作業管理コントローラ２１０に送付し、その値は作業環境表示器２３０に表示してある。予め環境条件設定部２１１に設定された条件を満たさない場合は、警報器１２０から警報が出される。作業環境センサ２００は、機能複合センサである方が望ましい。
【００１５】
尚、警報器は音声以外にパトライトのような明かりも利用できる。
又、図１、図２、の機能を集合することもできることは当然である。
尚、認識符号入力器１００から作業管理コントローラ１１０に信号が送られ場合は、有線又は無線のどちらでも受け渡すことできる。これらが一体に構成され、別のホスト作業コントローラに通信で送られる場合も含まれる。
又、本明細書の中で記述したＩＤＴＡＧの用語は、通常、広く普及している意味で使用しているが、ＴＡＧ内に認識符号（名称などの個々を認識する符号や文字、数字図形などの認識符号）を内蔵でき、電磁結合、電磁誘導、電波のいずれかの送受信機能を有しているもので、ＴＡＧリーダは、無線通信によりＩＤＴＡＧの認識符号を読み取り、ＩＤＴＡＧ又は、その所持者を認識するものである。ＩＤＴＡＧには、電源をＴＡＧリーダからの電波に依存している近距離用（凡そ１ｍ以下）の受動ＴＡＧと言われるものと、電源を内蔵した長距離用（凡そ１ｍ以上１０ｍ位まで）の能動ＴＡＧがある。
【産業上の利用可能性】
【００１６】
以上の様に、本発明による有害物撤去作業安全管理装置は、有害作業の空間での撤去作業に使用すれば作業者の安全確保に貢献できるので、産業上大きな利用性を有している。
【図面の簡単な説明】
【００１７】
【図１】本発明による有害物撤去作業安全管理装置の一実施態様を示す図である。
【図２】本発明による有害物撤去作業安全管理装置の別の一実施態様を示す図である。
【図３】従来から慣行されている作業時間管理の仕方を示す図である。
【図４】従来から行われてきた作業環境のモニタを示す図である。
【符号の説明】
【００１８】
１００  認識符号入力器
１０１  ＴＡＧリーダ
１０２  キー入力器
１１０、２１０  作業管理コントローラ
１１１  作業者ファイル
１１２  作業時間計時器
１１３  作業条件設定部
１２０  警報器
１３０  作業経過時間表示器
２００  環境複合センサ
２１１  環境条件設定部
２３０  作業環境表示器
【図１】
2009163571.tif 000003
【図２】
2009163571.tif 000004
【図３】
2009163571.tif 000005
【図４】
2009163571.tif 000006